(57)【要約】      （修正有）【課題】単一ユニットの贈り物用の可膨張式包装を提供する。【解決手段】可膨張式包装は、贈り物５を収容するコンパートメント１と、コンパートメント１のカバーまたは蓋４と、取り付けられた３次元の可膨張式の人形２とを有し、３次元の人形内には、空気弁を有する空気入口３があり、空気弁は、コンパートメント１と３次元の可膨張式の人形２とともに、空気が３次元の人形内に入り、コンパートメント内にも入ることを許容し、３次元の人形とコンパートメントが同時に膨張するようになっている。【選択図】図１
0003217687.tif 000002
【実用新案登録請求の範囲】
【請求項１】
コンパートメント（１）と３次元の可膨張式の人形（２）とを有することを特徴とする、単一ユニットの贈り物用の可膨張式包装。
【請求項２】
空気入口（３）または空気弁を有し、該空気入口（３）または空気弁を通って空気が入ることを特徴とする、請求項１に記載の可膨張式包装。
【請求項３】
前記コンパートメント（１）内にカバーまたは蓋（４）を任意選択的に有することを特徴とする、請求項１に記載の可膨張式包装。
【請求項４】
贈り物が収容される前記コンパートメント（１）もまた可膨張式であることを特徴とする、請求項１に記載の単一ユニットの贈り物用の可膨張式包装。
【請求項５】
贈り物が収容される前記コンパートメント（１）が、前記３次元の人形（２）の前、後ろ、右側、左側、下または上に配置可能であることを特徴とする、請求項１に記載の単一ユニットの贈り物用の可膨張式包装。
【請求項６】
前記可膨張式包装の材料が、膨張とともに拡張可能であることを特徴とする、請求項１に記載の単一ユニットの贈り物用の可膨張式包装。
【請求項７】
前記可膨張式包装の前記材料が、プラスチック、紙、アルミ蒸着プラスチックまたはアルミ蒸着紙から選択されることを特徴とする、請求項６に記載の単一ユニットの贈り物用の可膨張式包装。
【考案の詳細な説明】
【技術分野】
【０００１】
現在、物体を紙材、ボール紙、プラスチック、木材、紙袋、ボール紙の袋、箱の中に包むための包装があり；これらの包装は、それらの用途に応じて保護、輸送または包装のためのものであり得、中身に対してより重点を置く。すなわち、これらの包装は、物体の見栄えをより良くする。
【０００２】
我々は、贈り物を包み、かつ、それをその見栄えにおいてより色彩豊かに、より視覚に訴える、最新のものにする包装；贈り物を包む新しい方法に責任がある。
【背景技術】
【０００３】
最新技術
贈り物を包装する現在の技術は、贈り物の形状を考慮して贈り物用の包装紙上で贈り物を包むことと、それを粘着テープでとめて紙を正しい位置に保持することと、それにリボンを付け加えることとからなる。
【０００４】
第２の方法は、贈り物用の包装紙で袋を作り（封筒タイプ）、贈り物を中に入れ、袋を閉じ、リボンを付けることである。
【０００５】
第３の方法は、ひもの取っ手を有する、印刷されたデュブレックス（dublex）のボール紙の袋の中に贈り物を入れることである。
【０００６】
しかしながら、これらの方法、特に初めの２つは、訓練を受けた人により実行されなければ、必ずしも期待通りにはならないので、より良くできたはずという感覚を残し、また、包装に時間がかかり過ぎるので、祝祭日には長蛇の列の原因となる。
【０００７】
３つ目は開口型の装飾された袋であるが、簡易な包装であるとの印象を与え、かつ、そのような袋は所定の容量を有するので、贈り物のタイプや大きさに必ずしも適合しない。
【０００８】
最後に、文献ＵＳ２０１３１８６７９６（贈り物包装容器）によれば、最新技術の示すものは、装飾品であって包装ではない。
【考案の概要】
【０００９】
考案の説明
上述の問題を克服するために、単一ユニットの贈り物用の可膨張式包装が考案され、該包装は、贈り物が収容される１つのコンパートメント（１）で構成され、それに取り付けられて、異なる姿勢にある３次元の可膨張式人形（２）が示される。
【００１０】
単一ユニットの贈り物用の可膨張式包装は、贈り物（５）が収容される１つのコンパートメント（１）と、コンパートメント（１）のカバーとなる蓋またはカバー（４）とを有し、これに取り付けられて可膨張式の３次元の人形（２）が収容され、前記人形内には、空気弁を任意選択的に有する空気入口（３）が配置される。
【００１１】
包装は、３次元の人形の膨張と同じ事実により、贈り物をコンパートメント内にはめ込むであろう３次元の人形を膨張させることによりなされ、包装の準備ができる。
【００１２】
単一ユニットの贈り物用の可膨張式包装は、３次元の人形（２）により、休日または贈り物目的を示唆する。包装の材料は、プラスチック、紙、アルミ蒸着プラスチック、アルミ蒸着紙または膨張に伴い拡張可能な任意の他の材料であってもよい。
【００１３】
贈り物を収容するコンパートメント（１）もまた可膨張式である、単一ユニットの贈り物用の可膨張式包装。
【００１４】
これは、最新技術における進歩である。なぜなら、当該包装は、贈り物が収容されるであろうコンパートメント（１）を有し、該コンパートメント（１）は、３次元の人形（２）を膨張させる際に、贈り物（５）の大きさに適合し、包装を完成させるであろうからである。当該包装はまた、その可膨張式包装によって新規である。これはすべて、包装をより早くし、かつ、より人目を引くようにする。
【００１５】
図面の説明
説明を完成させるため、かつ、本考案の技術的特徴の理解を促進するため、本明細書には一組の図面が添付され、そこでは、説明的で非限定的な特徴を有する以下のものが提供される。
【図面の簡単な説明】
【００１６】
【図１】図１．ａ．−３次元の人形（２）の下に贈り物コンパートメント（１）を有する単一ユニットの贈り物用の可膨張式包装は、贈り物（５）が収容されるコンパートメント（１）と、コンパートメント（１）のカバーとなる蓋（４）とを有し、それに取り付けられて３次元の可膨張式の人形（２）が配置され、前記人形内には、任意選択的に空気弁を有する空気取入口（３）が提供される。図１．ｂ．は、しぼんでおり、コンパートメント（１）内に贈り物（５）を有し、包まれる姿勢にあり、かつ、カバーまたは蓋（４）が開いている、単一ユニットの贈り物用の可膨張式包装の図を示す。図１．ｃ．は、半膨張しており、贈り物（５）が半分はめ込まれており、かつ、カバーまたは蓋（４）が開いている、単一ユニットの贈り物用の可膨張式包装の図を示す。図１．ｄ．は、完全に膨張した３次元の人形（２）とカバー（４）とが示され、贈り物が収容されているコンパートメント（１）が閉じている、単一ユニットの贈り物用の可膨張式包装の図を示す。
【図２】図２は、３次元の人形（２）の前に贈り物コンパートメント（１）を有する、単一ユニットの贈り物用の可膨張式包装の図を示す。
【図３】図３は、３次元の人形（２）の後ろに贈り物用コンパートメント（１）を有する、単一ユニットの贈り物用の可膨張式包装の図を示す。
【図４】図４は、３次元の人形（２）の右側に贈り物用コンパートメント（１）を有する、単一ユニットの贈り物用の可膨張式包装の図を示す。
【図５】図５は、３次元の人形（２）の左側に贈り物用コンパートメント（１）を有する、単一ユニットの贈り物用の可膨張式包装の図を示す。
【図６】図６は、３次元の人形（２）の上に贈り物用コンパートメント（１）を有する、単一ユニットの贈り物用の可膨張式包装の図を示す。
【考案を実施するための形態】
【００１７】
実施例
本考案を例証するためだけに、以下の特徴を有するプロトタイプが製造された：
当該プロトタイプは、アルミ蒸着プラスチック材料製であり、３次元のクリスマス人形（２）からできており、その下部には贈り物を収容するように適合されたコンパートメント（１）が取り付けられており、３次元の可膨張式人形（２）と贈り物を収容するコンパートメント（１）とは、単一ユニットを構成する。図１
【図１】
0003217687.tif 000003
【図２】
0003217687.tif 000004
【図３】
0003217687.tif 000005
【図４】
0003217687.tif 000006
【図５】
0003217687.tif 000007
【図６】
0003217687.tif 000008
【手続補正書】
【提出日】平成30年1月17日(2018.1.17)
【手続補正１】
【補正対象書類名】明細書
【補正対象項目名】０００９
【補正方法】変更
【補正の内容】
【０００９】
考案の説明
上述の問題を克服するために、贈り物が収容される１つのコンパートメント（１）で構成される単一ユニットの贈り物用の可膨張式包装が考案され、それに取り付けられて、異なる姿勢にある３次元の可膨張式人形（２）が示される。
【手続補正２】
【補正対象書類名】明細書
【補正対象項目名】００１０
【補正方法】変更
【補正の内容】
【００１０】
単一ユニットの贈り物用の可膨張式包装は、贈り物（５）が収容される１つのコンパートメント（１）と、コンパートメント（１）のカバーとなる蓋またはカバー（４）とを有し、これに取り付けられて可膨張式の３次元の人形（２）が収容され、前記人形内には、空気弁を有する空気入口（３）があり、該空気弁は、コンパートメントと３次元の可膨張式の人形（２）とともに、空気が前記３次元の人形内に入り、コンパートメント内にも入ることを許容し、３次元の人形とコンパートメントが同時に膨張するようになっている（図１ｄ）。
【手続補正３】
【補正対象書類名】明細書
【補正対象項目名】００１２
【補正方法】変更
【補正の内容】
【００１２】
単一ユニットの贈り物用の可膨張式包装は、３次元の人形（２）により、休日または贈り物目的を示唆し、可膨張式包装の材料は膨張に伴い拡張可能であり、包装の材料は、プラスチック、紙、アルミ蒸着プラスチック、アルミ蒸着紙または膨張に伴い拡張可能な任意の他の材料であってもよい。
【手続補正４】
【補正対象書類名】明細書
【補正対象項目名】００１４
【補正方法】変更
【補正の内容】
【００１４】
これは、最新技術における進歩である。なぜなら、当該包装は、贈り物が収容されるであろうコンパートメント（１）を有し、該コンパートメント（１）は、３次元の人形（２）およびコンパートメントを膨張させる際に、贈り物（５）の大きさに適合し、贈り物を、包装内の圧縮された空気の圧力により前記包装内で安定した姿勢に保つであろうからである。当該包装はまた、その可膨張式包装によって新規である。これはすべて、包装をより早くし、かつ、より人目を引くようにし、輸送を容易にし、かつ安全にする。なぜなら、特に水晶やガラスのような繊細な材料の贈り物を、それを壊すことおよび／または傷付けることを恐れずに包装することができ、かつ、可撓性でありしたがって軽い材料の包装であるので、子どもを含むあらゆる年齢または状況の人々にとって適切であるからである。
【手続補正５】
【補正対象書類名】実用新案登録請求の範囲
【補正対象項目名】全文
【補正方法】変更
【補正の内容】
【実用新案登録請求の範囲】
【請求項１】
贈り物（５）を収容するコンパートメント（１）と、前記コンパートメントのカバーまたは蓋（４）と、取り付けられた３次元の可膨張式の人形（２）とを有し、前記３次元の人形内には、空気弁を有する空気入口（３）があり、該空気弁は、前記コンパートメントと前記３次元の可膨張式の人形（２）とともに、空気が前記３次元の人形内に入り、前記コンパートメント内にも入ることを許容し、前記３次元の人形と前記コンパートメントが同時に膨張するようになっていることを特徴とする、単一ユニットの贈り物用の可膨張式包装。
【請求項２】
前記コンパートメント（１）内に前記カバーまたは蓋（４）を有し、該カバーまたは蓋（４）もまた可膨張式であり、前記カバーと前記３次元の人形が同時に膨張することを許容する、請求項１に記載の可膨張式包装。
【請求項３】
贈り物が収容される前記コンパートメント（１）が、前記３次元の人形（２）の前、後ろ、右側、左側、下または上に配置可能である、請求項１に記載の単一ユニットの贈り物用の可膨張式包装。
【請求項４】
プラスチック、紙、アルミ蒸着プラスチックまたはアルミ蒸着紙から選択される可膨張式包装の材料を有する、請求項１に記載の単一ユニットの贈り物用の可膨張式包装。